(57)【特許請求の範囲】
【請求項１】
土台と梁と隣接する２本の柱とから構成される一の壁面の変形に対し減衰力を与える金属製の制振手段を、前記土台と梁との間、または、土台または梁の少なくとも一方と柱との間に設けた制振構造物において、前記一の壁面に設けられた外壁と前記制振手段との間であって、該壁面空間内に部分的に断熱パネルを設けるとともに、該一の壁面のその他の壁面空間に変形可能な材料からなる断熱材を設けたことを特徴とする制振構造物。
【発明の詳細な説明】
【０００１】
【発明の属する技術分野】
本発明は、制振構造物に係り、特に一般木造住宅等に好適な制振構造物に関する。
【０００２】
【従来の技術】
図１は、本願発明の実施の形態を示す図であるが、柱等の構造は、従来と同様なので、この図１を用いて従来の技術を説明する。
【０００３】
コンクリートの基礎１上には土台２が設けられ、この土台２には、柱３，４が立てられ、柱３，４の上部には、梁５が設けられている。
【０００４】
このような、木造住宅の土台２、柱３，４、梁５からなる壁面６内に設けられ、地震の振動により、建物が共振し倒壊することを防ぐ制振装置が種々提案されている。
【０００５】
その一例として、図１のように、土台２の水平方向の変位を伝達する下側パネル６と梁５の水平方向の変位を伝達する上側パネル７を設け、両パネル間に制振手段としてのダンパ９を設けたものがある。
【０００６】
また、別の方式として図示しないが、粘性ゴムを挟んだ２枚の金属パネルの一方を土台２に、他方を柱３に固定する制振装置も知られている。
【０００７】
このような制振手段が設けられた壁面内は、ダンパ９などの内部の構造物が設けられており、複雑な形状の空間となっている。
【０００８】
このため、住宅の断熱材としては、形状が容易に変更可能なグラスウール等が用いられていた。
【０００９】
【発明が解決しようとする課題】
しかし、このような制振構造物にあっては、制振手段が壁面内に設けられ、この制振手段が金属であるため結露を生じやすい。さらに、この制振手段と図中手前側に設けられる外壁（図示せず）との間の隙間は小さく、グラスウールがあまり入らないので、より結露しやすく、この結露により、ダンパが錆びたり、また、木材が腐食するという問題点があった。
【００１０】
本発明は、こののような問題点を解決した制振構造物に関する。
【００１１】
【課題を解決するための手段】
上記課題を解決するため、本発明は以下のような特徴を有する。
【００１２】
本発明は、土台と梁と隣接する２本の柱とから構成される一の壁面の変形に対し減衰力を与える金属製の制振手段を、前記土台と梁との間、または、土台または梁の少なくとも一方と柱との間に設けた制振構造物において、前記一の壁面に設けられた外壁と前記制振手段との間であって、該壁面空間内に部分的に断熱パネルを設けるとともに、該一の壁面のその他の壁面空間に変形可能な材料からなる断熱材を設けたことを特徴とするものである。
【００１３】
【発明の実施の形態】
本発明の実施の形態を図１乃至図２に示し説明する。なお、図１は、後述の断熱パネル１０及びグラスウール１１を配置する前の図であり、図２は両部材を配置した後の図である。
【００１４】
コンクリートの基礎１上には、木材からなる土台２が設けられ、さらに、この土台２には、柱３，４が立てられている。柱３，４の上部には、梁５が設けられている。
【００１５】
また、隣接する柱３，４間には、内壁側と外壁側の両側に水平に複数の胴縁１２が設けられている。
【００１６】
土台２には、土台２の水平方向の変位を伝達する変位伝達手段としての下側パネル７が固定され、さらに、梁５には、梁５の水平方向の変位を伝達する変位伝達手段としての上側パネル８が固定され、両パネル間に制振手段としてのダンパ９が設けられている。
【００１７】
このダンパ９としては、金属製シリンダ内に油が封入され、一端からシールを介してロッドが突出した油圧緩衝器や金属製のシリンダとの摩擦によ減衰力を発生する摩擦ダンパ等が用いられる。
【００１８】
壁面内のダンパ９と図中手前側に設けられる外壁（図示せず）との間には、発砲ウレタンからなり板状の断熱パネル１０が設けられている。この断熱パネル１０は２本の胴縁１２に挟まれるように設けられ、上下方向の位置決めがされている。また、前後方向は上側及び下側パネル６と外壁により位置決めされている。
【００１９】
このように本実施の形態では、既存の胴縁１２等を利用し断熱パネル１０を固定しているが、このようなものがない場合は、外壁材の内側に接着剤等で固定してもよい。
【００２０】
断熱パネル１０と両側の柱３，４との間には隙間が設けられ、地震によりこの壁面が変形した際に断熱パネル１０が割れることを防止している。
【００２１】
また、残りの壁面空間内には、綿状のグラスウール１１により満たされている。このグラスウールは綿状でばらばらなものであってもよいが、２枚のアルミ箔間に付着させたタイプのグラスウールや、セルローズファイバーやウレタンを粉砕したもの等であってもよく、容易に変形可能なものであればよい。しかし、望ましくは、綿状や粉状のものが望ましい。
【００２２】
以上の構成により、地震の際にはダンパ９により共振が抑えられ、制振効果が得られる。
【００２３】
また、室内外の温度差による結露が発生しやすい場合であっても、特に結露の発生しやすい金属製のダンパ９と外壁との狭い隙間には、断熱効果が高い断熱パネル１０が設けられるので、結露が発生しにくく、ダンパ９に錆びが発生することも防止でき、さらに、木材の腐食も防止できる。
【００２４】
また、その他の複雑な空間には、容易に変形可能なグラスウール等が設けられるので、全体を断熱材で満たすことができ、効果的に結露が防止できる。
【００２５】
さらに、上下パネル７，８と、内壁と断熱パネル１０とで、側面のみが開口した空間が確保でき、この空間内にダンパ９が設けられるので、グラスウールが側部開口より少しはこの空間内に侵入するが、多量のグラスウールがダンパに触れることを防止でき、グラスウールによりダンパのロッドやシールなどを傷つけることが防止できる。さらに、内壁とダンパ９との間にも断熱パネルを設けることにより、よりグラスウールの侵入を防止できる。
【００２６】
なお、上記実施の形態では、パネル７，８とダンパ９を用いた制振装置を利用したものを示したが、制振装置は、特に限定されず、土台２または梁５と隣接する柱３，４から形成される四角形の変形に対し減衰効果を与える制振装置であって、金属製のものであれば、本発明は有効である。
【００２７】
また、上記実施の形態では、１階部分について記載したが、２階３階についても同様であり、この場合、１階の梁が、２階の土台部となり、２階の梁が３階の土台部となる。
【００２８】
なお、上記実施の形態の断熱パネルは、ウレタン系の他に木質繊維系、ポリスチレン系、フェノール系などの各種断熱パネルでもよい。
【００２９】
【発明の効果】
本発明によれば、結露しやすい金属製の制振手段と外壁との間に断熱効果の高い断熱パネルを設け、その他の壁面空間には、たとえばグラスウールのような変形が容易な断熱材を設けたので十分な断熱性得られるとともに、結露も防止できる。
【図面の簡単な説明】
【図１】本発明の制振構造物としての木造建築物の壁をはがした状態で、断熱パネル及びグラスウールを配置する前の斜視図である。
【図２】図１の制振構造物に断熱パネルとグラスウールを配置した状態を示す斜視図である。
【符号の説明】
１  基礎
２  土台
３  柱
４  柱
５  梁
９  ダンパ（制振手段）
１０  断熱パネル
１１  グラスウール（断熱材）
【図１】
0004296370.tif 000002
【図２】
0004296370.tif 000003